(57)【要約】【課題】術者が操作しやすく、かつ、患者の乗降が容易な歯科治療椅子を提供する。【解決手段】歯科治療椅子は、レッグレストとステップ１０との間に設けられ、ステップを回動自在に支持するステップガイド３０と、ステップをステップガイドに固定することによりステップをロック状態にするロック機構と、ステップのロック状態が解除された際に、ステップをステップガイドから離間させるステップ離間機構と、を備える。ロック機構が、ステップに設けられた鉤状部材１６と、鉤状部材を受容可能なカバー部材４０と、カバー部材をステップガイドに対して回動させるカバー回動軸４１と、カバー回動軸の前方でカバー部材に設けられ、鉤状部材に係合可能な係合軸４３と、カバー回動軸の後方でカバー部材に設けられたレバー４５と、を有する。レバーをステップガイドに向けて押した場合に、カバー部材がカバー回動軸回りに回動してステップのロック状態が解除される。【選択図】図５
2020044298.tif 000002
【特許請求の範囲】
【請求項１】
コンターシートと、該コンターシートの前方に設けられたレッグレストと、該レッグレストの前方に設けられ、該レッグレストの一方の側端に対して回動するステップと、を備えた歯科治療椅子であって、
前記レッグレストと前記ステップとの間に設けられ、該ステップを回動自在に支持するステップガイドと、前記レッグレストの他方の側端近傍に設けられ、前記ステップを前記ステップガイドに固定することにより前記ステップをロック状態にするロック機構と、前記ステップのロック状態が解除された際に、該ステップを前記ステップガイドから離間させるステップ離間機構と、を備え、
前記ロック機構が、前記ステップに設けられた鉤状部材と、該鉤状部材を受容可能なカバー部材と、該カバー部材を前記ステップガイドに対して回動させるカバー回動軸と、該カバー回動軸の前方で前記カバー部材に設けられ、前記鉤状部材に係合可能な係合軸と、前記カバー回動軸の後方で前記カバー部材に設けられたレバーと、を有し、
該レバーを前記ステップガイドに向けて押した場合に、前記カバー部材が前記カバー回動軸回りに回動して前記ステップのロック状態が解除されることを特徴とする歯科治療椅子。
【請求項２】
前記ステップガイドは、前記ステップのロック状態で該ステップに対向配置される対向面と、該対向面の下側に設けられ、前記ステップのロック状態で該ステップの下面を支持する支持面と、を有し、
前記ステップの下面には、前記ステップのロック状態が解除された場合に、該ステップを下方から支持する転動部材が設けられることを特徴とする請求項１に記載の歯科治療椅子。
【請求項３】
前記ステップ離間機構が、前記ステップガイドの対向面に対向配置される前記ステップの後端面に設けられており、先端が前記ステップの後端面から突出して、前記ステップのロック状態で前記ステップガイドに接触するピンと、該ピンを前記ステップガイドの対向面に向けて付勢するバネと、を有することを特徴とする請求項１または２に記載の歯科治療椅子。
【請求項４】
前記係合軸には、前記鉤状部材と接触して回転するスペーサが設けられていることを特徴とする請求項１から３のいずれか一項に記載の歯科治療椅子。
【発明の詳細な説明】
【技術分野】
【０００１】
本発明は、歯科治療椅子に関し、詳細には、コンターシートと、コンターシートの前方に設けられたレッグレストと、レッグレストの前方に設けられ、レッグレストの一方の側端に対して回動するステップと、を備えた歯科治療椅子に関する。
【背景技術】
【０００２】
高齢者や車椅子を利用する患者は、歯科治療椅子に乗る際に足を上げられないことがある。例えば、特許文献１には、レッグレストの前方にステップを搭載した歯科治療椅子の構造が開示されている。ステップはレッグレストに対して水平方向に回動可能に構成されており、ステップをレッグレストから離間させることにより、患者は摺り足で後ずさりしながらコンターシートに着座できる。また、車椅子の前輪がステップに接触しなくて済むので、車椅子を利用する患者の移乗も容易になる。
【０００３】
なお、ステップを設けない歯科治療椅子も存在するが、ステップをレッグレストの前方に設けておけば、うがいの際に前傾姿勢になってもステップで足を支えることができるので、歯科治療椅子から落下しにくいという利点がある。
【先行技術文献】
【特許文献】
【０００４】
【特許文献１】特開２００５−３３４２９９号公報
【発明の概要】
【発明が解決しようとする課題】
【０００５】
ステップは歯科治療椅子の下方に位置するので、ステップをレッグレストから離す、ステップをレッグレストに連結するような操作は、グローブをした手ではなく、足で操作できることが望ましい。
【０００６】
本発明は、上述のような実情に鑑みてなされたもので、術者が操作しやすく、かつ、患者の乗降が容易な歯科治療椅子を提供することを目的とする。
【課題を解決するための手段】
【０００７】
上記課題を解決するために、請求項１の発明は、コンターシートと、該コンターシートの前方に設けられたレッグレストと、該レッグレストの前方に設けられ、該レッグレストの一方の側端に対して回動するステップと、を備えた歯科治療椅子であって、前記レッグレストと前記ステップとの間に設けられ、該ステップを回動自在に支持するステップガイドと、前記レッグレストの他方の側端近傍に設けられ、前記ステップを前記ステップガイドに固定することにより前記ステップをロック状態にするロック機構と、前記ステップのロック状態が解除された際に、該ステップを前記ステップガイドから離間させるステップ離間機構と、を備え、前記ロック機構が、前記ステップに設けられた鉤状部材と、該鉤状部材を受容可能なカバー部材と、該カバー部材を前記ステップガイドに対して回動させるカバー回動軸と、該カバー回動軸の前方で前記カバー部材に設けられ、前記鉤状部材に係合可能な係合軸と、前記カバー回動軸の後方で前記カバー部材に設けられたレバーと、を有し、該レバーを前記ステップガイドに向けて押した場合に、前記カバー部材が前記カバー回動軸回りに回動して前記ステップのロック状態が解除されることを特徴としている。
【０００８】
請求項２の発明は、請求項１の発明において、前記ステップガイドは、前記ステップのロック状態で該ステップに対向配置される対向面と、該対向面の下側に設けられ、前記ステップのロック状態で該ステップの下面を支持する支持面と、を有し、前記ステップの下面には、前記ステップのロック状態が解除された場合に、該ステップを下方から支持する転動部材が設けられることを特徴としている。
【０００９】
請求項３の発明は、請求項１または２の発明において、前記ステップ離間機構が、前記ステップガイドの対向面に対向配置される前記ステップの後端面に設けられており、先端が前記ステップの後端面から突出して、前記ステップのロック状態で前記ステップガイドに接触するピンと、該ピンを前記ステップガイドの対向面に向けて付勢するバネと、を有することを特徴としている。
【００１０】
請求項４の発明は、請求項１から３の発明において、前記係合軸には、前記鉤状部材と接触して回転するスペーサが設けられていることを特徴としている。
【発明の効果】
【００１１】
本発明によれば、カバー部材には、ステップのロック状態を足で解除可能なレバーが設けられており、ステップのロック状態を手で解除しなくて済むので、術者が操作しやすくなる。術者の手の清潔性を確保することができる。また、ステップ離間機構によって、ロック状態が解除されたステップはステップガイドから速やかに離間する。よって、術者が操作しやすく、かつ、患者の乗降が容易な歯科治療椅子を提供することができる。
【図面の簡単な説明】
【００１２】
【図１】本発明の一実施形態の歯科治療椅子を搭載した歯科治療ユニットを説明する斜視図である。
【図２】歯科治療椅子の正面図である。
【図３】歯科治療椅子の斜視図である。
【図４】ステップ離間機構を説明する図である。
【図５】ロック機構を説明する図である。
【図６】ステップのロック解除状態への移行を説明する図である。
【図７】ステップのロック状態への移行を説明する図である。
【発明を実施するための形態】
【００１３】
以下、図面を参照しながら本発明の歯科治療椅子について説明する。図１は、本発明の一実施形態の歯科治療椅子を搭載した歯科治療ユニットを説明する斜視図であり、図２は、歯科治療椅子の正面図、図３は、歯科治療椅子の斜視図である。
図１に示すように、歯科治療ユニットは歯科治療椅子１を有し、歯科治療椅子１の側方には、歯科用スピットン２が配置されている。なお、図示は省略するが、歯科治療ユニットは、歯科治療椅子１の周辺に、無影灯や、種々の歯科用インスツルメントがホルダを保持するワークテーブル、フットスイッチ等を備えている。
【００１４】
歯科治療椅子１は、昇降部４によって上下動や傾斜動が可能に構成されている。昇降部４は、基台３上に例えば回転可能に設置され、コンターシート７の下側に連結されている。
コンターシート７の後方には、バックレスト６やヘッドレスト（安頭台）５が設けられている。バックレスト６の側方には、アームレスト８が設けられる。コンターシート７の前方には、レッグレスト９が設けられている。
【００１５】
レッグレスト９の前方には、ステップ１０が設けられており、患者は、ステップ１０の上に乗った後、コンターシート７に腰掛けることができる。このように、本実施形態の歯科治療椅子１は、前方からの乗り降りが容易である。
ステップ１０は平面視で略半円形状に形成され、図２に示すように、例えば所定厚みの板状に構成されており、患者の足を乗せる上面１１と、床面Ｇに対向する下面１２とを有する。
【００１６】
ステップ１０の下面１２には、床面Ｇ上を転動可能なコロ１７が、ステップ１０の中央に対してステップ１０の左側面１４寄りに１台設置されており、コロ１７は足を乗せたステップ１０を下方から支持できる。なお、コロ１７が本発明の転動部材に相当する。
図２に示したレッグレスト９の下端とステップ１０の後端（図３に示す後端面１５）との間には、ステップガイド３０が設けられる。
【００１７】
歯科治療椅子１に向かってステップガイド３０の右端とステップ１０の右側面１３とは、ステップ回動軸３４を介して連結され、ステップガイド３０はステップ１０を回動自在に支持する。これにより、ステップ１０は、ステップ回動軸３４を回動中心として、図３に矢印で示すように、水平方向に回動することができる。一方、ステップ１０の左側面１４には、鉤状部材１６が設置され、ステップ１０とともに回動する。
【００１８】
ステップガイド３０は、図３に示すように、ステップ１０の後端面１５に対向する対向面３１と、対向面３１の下側に形成されて、ステップ１０の下面１２の一部（下面１２のうち後端面１５の周辺部分）を支持可能な支持面３２とを有する。
ステップ１０がステップガイド３０に固定された状態（ステップ１０のロック状態という）では、ステップガイド３０の支持面３２がステップ１０を下方から支持し、ステップ１０が回動してステップガイド３０から離れた状態（ステップ１０のロック解除状態という）では、コロ１７がステップ１０を下方から支持しており、ステップ回動軸３４への負荷を軽減している。よって、ステップ１０の耐久性が向上する。
【００１９】
また、ステップ１０の下面１２にコロ１７を設ければ、術者が、ステップ１０を足で押してステップガイド３０から離したり、足でステップガイド３０に戻したりするように操作できる。あるいは、足をステップ１０に乗せた患者がその足でステップガイド３０に向けて容易に引き寄せることもできる。
【００２０】
図４は、ステップ離間機構を説明する図である。本実施例のステップ離間機構は、例えばステップ１０に設けられる。詳しくは、ステップ１０の後端面１５には、ピン収容部１８が形成されている。ピン２０は、大径の鍔部２２と、小径の軸部２３とからなり、鍔部２２は軸部２３の後端付近に設けられている。ピン収容部１８の開口はネジ１９で塞がれている。ネジ１９の中央には、軸部２３を通すが鍔部２２を通さない大きさの穴が形成されている。このため、軸部２３の先端２１がピン収容部１８から突出し、鍔部２２がピン収容部１８内に配置される。また、ピン収容部１８内には、鍔部２２をネジ１９に向けて付勢する圧縮バネ２４が設けられている。圧縮バネ２４が本発明のバネに相当する。
【００２１】
ステップ１０のロック状態では、ピン２０の先端２１がステップガイド３０の対向面３１に接触するので、ピン２０は、圧縮バネ２４の付勢力に抗してピン収容部１８内に向けて後退し、先端２１が後端面１５から少しだけ突出する。
これに対し、ステップ１０のロック状態が解除されると、ピン２０は、圧縮バネ２４の付勢力によってステップガイド３０に向けて前進し、先端２１が対向面３１を押す。これにより、ピン２５がピン受容穴３５から出て、ステップ１０は、ステップ回動軸３４回りでステップガイド３０の左端から離間する。ステップ１０がステップガイド３０から離れる距離は、圧縮バネ２４の付勢力で調整される。
【００２２】
このように、ピン２０がステップ１０に設けられており、ステップガイド３０に設けられていないので、乗降時に足がピン２０に引っかからない。
また、ステップ１０のロック状態が解除された時には、ピン２０が圧縮バネ２４の付勢力によってステップガイド３０から離れる。よって、モータなどを利用しない簡単な構造で、ステップ１０をステップガイド３０から速やかに離すことができる。
【００２３】
なお、図４に示すように、ステップ１０は、上記ピン２０のほか、上面１１からの耐荷重用のピン２５も有する。ピン２５は例えばピン２０よりも大径に形成されており、ピン２５の先端が後端面１５から突出し、ピン２５の後端がステップ１０内に固定されている。一方、ステップガイド３０の対向面３１には、ピン２５に対応する位置に、ピン受容穴３５が形成されている。
ステップ１０のロック状態では、ピン２５がピン受容穴３５に嵌まるので、ステップガイド３０と連結したステップ１０の上面１１に乗ったりされた場合、ピン２５は、上面１１からの全荷重を受けることができる。この点もステップ回動軸３４への負荷軽減に貢献する。また、ピン２５もステップ１０に設けられているため、乗降時に足がピン２５に引っかからない。
【００２４】
図５は、ロック機構を説明する図である。本実施例のロック機構は、ステップ１０およびステップガイド３０に設けられる。詳しくは、歯科治療椅子１に向かってステップガイド３０の左端（本発明のレッグレストの他方の側端近傍に相当する）には、平面視で略Ｌ字状に形成されたカバー支持部４２がネジ留めされている。カバー支持部４２の近傍には、断面視でコ字状のカバー部材４０が設けられており、コ字状の開口部分をステップガイド３０の左端に向けて配置している。
【００２５】
カバー支持部４２とカバー部材４０とは、カバー回動軸４１を介して連結され、カバー支持部４２はカバー部材４０を回動自在に支持する。このため、カバー部材４０は、カバー回動軸４１を回動中心として、図５に矢印で示すように、水平方向に回動することができる。
カバー部材４０は、カバー回動軸４１の前方に、鉤状部材１６に係合可能な係合軸４３を有する。係合軸４３には、例えば、鉤状部材１６と接触して回転するスペーサ４６が設けられる。スペーサ４６を設ければ、係合軸４３や鉤状部材１６の耐久性が向上する。
【００２６】
図５に示すように、係合軸４３の中央位置には、引張りバネ４４の一端が取り付けられている。引張りバネ４４の他端は、カバー支持部４２の後端に取り付けられる。これにより、係合軸４３はステップガイド３０の左端に向かうように付勢される。
カバー部材４０は、カバー回動軸４１の後方に、レバー４５を有する。レバー４５が、ステップガイド３０に向けて押された場合には、係合軸４３が、カバー部材４０とともにカバー回動軸４１回りに回動し、引張りバネ４４の付勢力に抗してステップガイド３０の左端から離れる。
【００２７】
一方、ステップ１０の左側面１４には断面視でコ字状の鉤状部材１６が設置されている。鉤状部材１６は、外方に湾曲したフック先端１６ａと、内方に延びたフック後端１６ｂとを有する。鉤状部材１６は、コ字状の底部分が左側面１４にネジ留めされ、コ字状の開口部分がカバー部材４０のコ字状の底部分に向くように配置されており、カバー部材４０に受容される。
【００２８】
図６は、ステップのロック解除状態への移行を説明する図であり、図７は、ステップのロック状態への移行を説明する図である。なお、図６，７では、係合軸４３（スペーサ４６）と鉤状部材１６との位置関係を明確にするために、カバー部材４０は、上側の壁面（引張りバネ４４よりも上方に位置する壁面）の記載を省略した断面図で示している。
ステップ１０のロック状態では、図６（Ａ）に示すように、鉤状部材１６がカバー部材４０内で係合軸４３に係合しており、フック後端１６ｂがスペーサ４６に接触している。
【００２９】
ステップ１０のロック状態において、レバー４５をステップガイド３０に向けて足の例えばつま先で押せば、図６（Ｂ）に矢印で示すように、カバー部材４０やスペーサ４６が引張りバネ４４の付勢力に抗してカバー回動軸４１回りに回動し、スペーサ４６とフック後端１６ｂとの接触が解かれる。
ステップ１０には、図４で説明した圧縮バネ２４の付勢力によってステップガイド３０から離れる方向に力が生じているので、ステップ１０と一体の鉤状部材１６は、カバー部材４０から離れる方向（図６の右方向）に引っ張られている。
【００３０】
このため、カバー部材４０やスペーサ４６がさらに回動し、スペーサ４６がフック後端１６ｂとフック先端１６ａとの境界位置を越えると、鉤状部材１６と係合軸４３との係合が解除される。これにより、図４で説明したピン２０が圧縮バネ２４の付勢力によってステップガイド３０から離れ、図６（Ｃ）に示すように、鉤状部材１６がカバー部材４０の外に移動する（ステップ１０のロック解除状態）。
【００３１】
このように、カバー部材４０には、ステップ１０のロック状態をつま先で解除可能なレバー４５が設けられており、ステップ１０のロック状態を手で解除しなくて済むので、術者が操作しやすくなるとともに、術者の、グローブをした手の清潔性を確保することができる。
そして、ロック状態が解除されたステップ１０はステップガイド３０から速やかに離間できる。よって、術者が操作しやすく、かつ、患者の乗降が容易な歯科治療椅子１を提供することができる。
【００３２】
一方、レバー４５からつま先を離せば、カバー部材４０やスペーサ４６は、引張りバネ４４の付勢力によって図６（Ｂ）に矢印で示した方向とは反対方向に回動し、図７（Ａ）に示した元の姿勢に戻る。
ステップ１０のロック解除状態において、ステップ１０をステップガイド３０に引き寄せると、図７（Ａ）に示すように、鉤状部材１６がカバー部材４０に向けて移動する。次いで、図７（Ｂ）に示すように、鉤状部材１６がカバー部材４０内に少し入って、フック先端１６ａがスペーサ４６に接触する。
【００３３】
鉤状部材１６がカバー部材４０内にさらに入り、スペーサ４６が引張りバネ４４の付勢力に抗してフック先端１６ａに沿って移動すると、カバー部材４０もカバー回動軸４１回りに回動する。
その後、カバー部材４０やスペーサ４６がさらに回動し、図７（Ｃ）に示すように、スペーサ４６がフック先端１６ａとフック後端１６ｂとの境界位置を越えると、スペーサ４６とフック後端１６ｂとが接触するので、鉤状部材１６が係合軸４３に係合する。これにより、図６（Ａ）に示すように、鉤状部材１６がカバー部材４０に受容される（ステップ１０のロック状態）。
【００３４】
ところで、上記実施例では、レッグレスト９の一方の側端をステップガイド３０の右端に、レッグレスト９の他方の側端をステップガイド３０の左端に想定し、ステップガイド３０の右端にステップ回動軸３４を設け、ステップガイド３０の左端にカバー部材４０を設けた例を挙げて説明した。しかし、ステップガイド３０の左端にステップ回動軸３４を設け、ステップガイド３０の右端にカバー部材４０を設けることも可能である。
【００３５】
また、上記実施例の板状のステップ１０の例で説明した。しかし、本発明は必ずしもこの例に限定されない。例えば、ステップ１０の下面１２をリブ構造にしてもよい。この場合、ステップ１０の剛性を確保するとともに、軽量化を図ることができる。
さらに、上記実施例では、ピン２０を備えたステップ離間機構の例で説明したが、本発明のステップ離間機構は、圧縮バネだけで構成し、ピン２０を省略して部品点数を減らすことができる。具体的には、この圧縮バネは、例えば円錐状に形成され、自然長でピン収容部１８よりも長く形成されている。円錐状の頂上（細い方）をピン収容部１８内に向けて配置し、ピン収容部１８の底にネジで固定される。この場合、ステップ１０のロック状態では、圧縮バネの先端（円錐状の太い方）がステップガイド３０の対向面３１に接触するので、圧縮バネはピン収容部１８内に向けて後退し、圧縮バネの先端が後端面１５から少しだけ突出する。一方、ステップ１０のロック状態が解除されると、圧縮バネの先端が対向面３１を押すので、ステップ１０は、ステップ回動軸３４回りでステップガイド３０の左端から離間する。
【符号の説明】
【００３６】
１…歯科治療椅子、２…歯科用スピットン、３…基台、４…昇降部、５…ヘッドレスト、６…バックレスト、７…コンターシート、８…アームレスト、９…レッグレスト、１０…ステップ、１１…上面、１２…下面、１３…右側面、１４…左側面、１５…後端面、１６…鉤状部材、１６ａ…フック先端、１６ｂ…フック後端、１７…コロ、１８…ピン収容部、１９…ネジ、２０…ピン、２１…先端、２２…鍔部、２３…軸部、２４…圧縮バネ、２５…ピン、３０…ステップガイド、３１…対向面、３２…支持面、３４…ステップ回動軸、３５…ピン受容穴、４０…カバー部材、４１…カバー回動軸、４２…カバー支持部、４３…係合軸、４４…引張りバネ、４５…レバー、４６…スペーサ。
【図１】
2020044298.tif 000003
【図２】
2020044298.tif 000004
【図３】
2020044298.tif 000005
【図４】
2020044298.tif 000006
【図５】
2020044298.tif 000007
【図６】
2020044298.tif 000008
【図７】
2020044298.tif 000009